(57)【特許請求の範囲】
【請求項１】
略縦搬送系をなすシート搬送路と、
前記シート搬送路を開放する位置と前記シート搬送路を閉じてシートの搬送を可能にする位置とに移動可能に装置本体に付設された被移動体と、を備えたシート搬送装置において、
前記装置本体に対して、前記被移動体を略水平方向に移動させて前記シート搬送路を開放するように支持する支持部材が、前記被移動体におけるジャム処理アクセス側の下端部と、ジャム処理アクセス反対側の上下両端部と、に設けられていることを特徴とするシート搬送装置。
【請求項２】
前記被移動体を装置本体に係合させるために前記被移動体に設けられる係合部は、前記被移動体のジャム処理アクセス側の下端部に配設されることを特徴とする請求項１に記載のシート搬送装置。
【請求項３】
略縦搬送系をなすシート搬送路と、
前記シート搬送路を開放する位置と前記シート搬送路を閉じてシートの搬送を可能にする位置とに移動可能に装置本体に付設された被移動体と、を備えたシート搬送装置において、
前記装置本体に対して、前記被移動体を略水平方向に移動させて前記シート搬送路を開放するように支持する支持部材が、前記被移動体におけるジャム処理アクセス側の略上端部を避けて、前記前記被移動体におけるジャム処理アクセス側の略下端部と、ジャム処理アクセス反対側の上下に異なる２箇所と、を含む３箇所以上に設けられていることを特徴とするシート搬送装置。
【発明の詳細な説明】
【０００１】
【発明の属する技術分野】
本発明は、複写機、プリンタ、ファクシミリ等の画像形成装置に設けられるシート搬送装置に関する。
【０００２】
【従来の技術】
複写機、プリンタ、ファクシミリ等の画像形成装置では、用紙搬送路内で発生する用紙ジャムを完全に無くすことは事実上不可能である。そのため、従来、装置内の用紙搬送路で発生したジャムをユーザが処理できるように構成した種々の画像形成装置が提案されている。
【０００３】
例えば、特開平１０−３１６２９４号公報には、排紙部に並設された反転経路または反転排紙経路において用紙ジャムが発生した場合に、反転ユニットを装置本体から引き出すことによって搬送路を開放し、ジャム処理を行えるようにした画像形成装置が開示されている。
【０００４】
この場合、その反転ユニットは、装置本体の前面側と背面側とに設けられた２本のガイドレールにより、装置本体に対してスライド可能に装着されており、この反転ユニットを装置本体から引き出すことで、反転経路および反転排紙経路を開放できる構成となっている。
このような構成では、反転経路や反転排紙経路でジャムが発生すると、まず、ジャム検知手段がジャムの発生を検知し、その後、機械の作動を停止させてユーザにジャムの発生を知らせる。一方、ユーザは、ジャムの発生を感知すると、装置前面の外装カバーを開放し、反転ユニットを手前にスライドさせて装置本体から引き出し、ジャム紙を取り出すことができる。
【０００５】
【発明が解決しようとする課題】
上述の反転ユニットは、装置本体の前面側と背面側とに、反転ユニットの寸法の大きな方向が伸びる方向に沿って設けられた２本のガイドレールによって、装置本体から外部に引き出される構成になっている。すなわち、引き出された反転ユニットは、２本のガイドレールによってその下端部が支持される。
【０００６】
しかし、搬送路のジャムを処理するために、装置本体からユニットや扉等の被引出体をガイドレールで支持して引き出す構成にした場合、例えば、図５に示すように、上記のように引き出す方向、すなわち、ガイドレール２０１，２０２が設けられている方向が、装置本体から引き出される被引出体２の寸法の小さい方向（厚み方向）に略直交する方向であれば、被引出体２に何らかのはずみで、（例えば、下向きの）外力Ｆが加えられても、被引出体２とガイドレール２０１，２０２との結合部にかかる負荷（モーメント）はそれほど大きくはない。これは、この形式では、被引出体２とガイドレール２０１，２０２との結合部が、ガイドレール２０１，２０２の延びる方向に比較的長く形成できるためである。
【０００７】
これに対して、縦搬送系のジャム処理のために、被引出体である立て向きの扉１０１をガイドレール１０２で支持して装置本体から略水平方向に引き出して、搬送路を開放するようにした場合、例えば、図６に示すように、ガイドレール１０２は、被引出体１０１の寸法の小さい方向（厚み方向）に略平行となり、ガイドレール１０２と被引出体１０１との結合部１０３は、ガイドレール１０２の延びる方向に短い間隔でしか形成できなくなる。このため、被引出体１０１に外力が加わった際に、ガイドレール１０２と被引出体１０１との結合部１０３に非常に大きな負荷（モーメント）が作用することになる。
【０００８】
また、縦搬送系のジャム処理のために扉等の被引出体を装置本体から引き出して装置の内部を開放できるようにした画像形成装置では、図示は省略するが、複雑な構成の反転ユニットが、ゲート等の機能部品を一体的に組み込まれて嵩高くなっていることが多い。従って、その反転ユニットの開放状態での支持状態（支持構成）が不安定であると、種々のトラブルの発生が懸念されるため、その対策が求められていた。
【０００９】
本発明は、このような実情に鑑みてなされ、縦搬送路のジャム処理を容易におこなうことができるシート搬送装置を提供することを目的としている。
【００１０】
【課題を解決するための手段】
本発明は、上述の課題を解決するための手段を以下のように構成している。
【００１３】
（１）略縦搬送系をなすシート搬送路と、前記シート搬送路を開放する位置と前記シート搬送路を閉じてシートの搬送を可能にする位置とに移動可能に装置本体に付設された被移動体と、を備えたシート搬送装置において、前記装置本体に対して、前記被移動体を略水平方向に移動させて前記シート搬送路を開放するように支持する支持部材が、前記被移動体におけるジャム処理アクセス側の下端部と、ジャム処理アクセス反対側の上下両端部と、に設けられていることを特徴とする。
【００１４】
この構成によれば、開放状態の被移動体を支持する支持部材が、両下端部のみではなく上端部にも設けられているため、被移動体が開かれた状態にある時に、たとえ、その上部に、不用意に外力が加えられたとしても、安定な支持状態が維持され、トラブルの発生を回避することができる。また、ガタツキの発生を防ぐこともできる。
【００１５】
さらに、支持部材を上記のように上下両側に設けていることにより、被移動体と本体との整合性が良好になるので、被移動体に一体的に設けられた用紙ガイド部材等の機能部品が、被移動体閉止時に装置本体側の所定位置に正確に配置され安定した機能が維持される。
【００１６】
また、上記支持部材は、ジャム処理のアクセス側（装置前面側）上端部には設けられていない。すなわち、ユーザにとって装置の手前側上部に空間が形成されて装置内部が開放されるので、ジャム紙を取り出し易く、ジャム処理の作業性が向上する。
【００１７】
（２）前記被移動体を装置本体に係合させるために前記被移動体に設けられる係合部は、前記被移動体のジャム処理アクセス側の下端部に配設されることを特徴とする。
【００１８】
この構成によれば、被移動体に設けた（装置本体との）係合部を、被移動体のジャム処理アクセス側の下端部に配設するので、ジャム処理際して、邪魔になることがなく、ジャム処理の良好な作業性が維持される。
【００１９】
（３）略縦搬送系をなすシート搬送路と、前記シート搬送路を開放する位置と前記シート搬送路を閉じてシートの搬送を可能にする位置とに移動可能に装置本体に付設された被移動体と、を備えたシート搬送装置において、前記装置本体に対して、前記被移動体を略水平方向に移動させて前記シート搬送路を開放するように支持する支持部材が、前記被移動体におけるジャム処理アクセス側の略上端部を避けて、前記前記被移動体におけるジャム処理アクセス側の略下端部と、ジャム処理アクセス反対側の上下に異なる２箇所と、を含む３箇所以上に設けられていることを特徴とする。
【００２０】
この構成によれば、開放状態にある開放扉等の被移動体を支持する支持部材が、被移動体におけるジャム処理アクセス側の略上端部を避けて設けられるので、被移動体の支持部材がジャム処理に際して邪魔にならず、ジャム処理が容易となる。
【００２１】
加えて、被移動体の支持部材が、被移動体におけるジャム処理アクセス側のほぼ下端部に必ず配置され、被移動体におけるジャム処理アクセス側のほぼ下端部と被移動体におけるジャム処理アクセス反対側とに、合計、３箇所以上設けられているので、安定な支持状態が維持されて、トラブルの発生やガタツキの発生を防止することができる。
【００２２】
また、被移動体と装置本体との整合性が良好になるので、被移動体に一体的に設けられたシートガイド部材や搬送路の分岐手段等の機能部品が、被移動体を閉じた際に、装置本体の所定の位置に正確に配置されるため、安定した機能が維持される。
【００２３】
【発明の実施の形態】
以下に、本発明の一実施形態にかかるシート搬送装置について図面を参照しつつ説明する。
【００２４】
図１は、本発明の実施の一形態の画像形成装置１の縦断面図である。本実施の形態に係る画像形成装置１は、プリンタ２を核に、スキャナ３、自動原稿搬送装置４、シート後処理装置５、多段給紙ユニット６、中継搬送ユニット８および両面搬送ユニット１０が接続され、機能が拡張されている。
【００２５】
スキャナ３は、その上部に配置された自動原稿搬送装置４と共に、システムラック７上に支持されることで、プリンタ２およびシート後処理装置５の上方に配置されている。プリンタ２は、スキャナ３にて読込まれた画像の記録出力はもとより、パーソナルコンピュータなどの画像処理装置が接続されると、この外部接続機器からの画像データをも記録出力する。
【００２６】
このプリンタ２において、装置本体の略中央左側には、ドラム状の感光体２００を中心とする電子写真プロセス部２０が配置されている。プリンタ２本体の下側には、プリンタ２本体内に内装された用紙供給部２１が配置されている。用紙供給部２１は、用紙を収容する用紙収容トレイ２１０と、用紙収容トレイ２１０に収容された用紙を１枚ずつ分離供給する分離供給手段２１１と、で構成されている。
【００２７】
この用紙供給部２１から１枚ずつ分離供給された用紙は、電子写真プロセス部２０の感光体２００と転写ユニット２０３との間に順次供給され、感光体２００上に記録再現された画像が転写される。なお、この用紙供給部２１への用紙の補給は、プリンタ２本体の正面側に用紙収容トレイ２１０を引き出して行う。
【００２８】
プリンタ２本体の下面には、周辺機器として準備されている多段給紙ユニット６等から送られてくる用紙を受け入れ、電子写真プロセス部２０の感光体２００と転写ユニット２０３との間に向かって順次供給するための用紙受口２７が設けられている。
【００２９】
電子写真プロセス部２０の上方には定着装置２３が配置されており、画像が転写された用紙を順次受け入れて、用紙上に転写された現像剤を加熱定着して定着装置２３外へと用紙を送り出す。画像が記録された用紙は、プリンタ２の排出ローラ２８からプリンタ２本体の上面の中継搬送ユニット８に受け渡される。
【００３０】
光走査ユニット２２の上下空間部には、電子写真プロセスをコントロールするプロセスコントロールユニット（ＰＣＵ）基板及び装置外部からの画像データを受け入れるインターフェイス基板を収容するプリンタ制御部２４、インターフェイス基板から受け入れられた画像データに対して所定の画像処理を施し、光走査ユニット２２により画像として走査記録させるためのイメージコントロールユニット（ＩＣＵ）基板を備えた画像制御部２５、そして、これら各種基板、ならびにユニットに対して電力を供給する電源ユニット２６などが配置されている。
【００３１】
多段給紙ユニット６は、外付けの用紙供給装置であって、３つの用紙供給部６１，６２，６３を有している。各用紙供給部６１，６２，６３の用紙収容トレイ６１０，６２０，６３０に収容した用紙を、分離給送手段６１１，６２１，６３１によってそれぞれ１枚ずつ分離して、該ユニット上面に設けられて、プリンタ２の用紙受口２７に連通している用紙排出口６５に向かって供給する。
【００３２】
本実施形態では、稼働時、所望とするサイズの用紙を収容した用紙供給部６１，６２，６３が選択的に動作する。用紙供給部６１，６２，６３への用紙の補給は、該ユニット本体の正面側に用紙収容トレイ６１０，６２０，６３０を引出すことで行われ、用紙供給部６２と６３とには、同一サイズの用紙が収納される。
【００３３】
また、多段給紙ユニット６は、上部にプリンタ２と後処理装置５を載置するように構成されているが、この状態で移動してシステムラック７の間に固定して配置可能なように、下部に移動コロ６９および固定部６８を備えている。移動時には、固定部６８を回転させて上昇させることで固定部６８を床面から離間させ、固定時には、固定部６８を逆向きに回転させて下降させることで固定部６８を床面に接触させて、多段給紙ユニット６を固定する。
【００３４】
なお、本実施形態では、３つの用紙供給部６１，６２，６３を備えた構成を採用しているが、本発明は、これに限定されることなく、前記用紙供給部２１を含めて、同一サイズの用紙が収納される用紙供給部が複数設けられる構成であればよい。
【００３５】
シート後処理装置５は、該装置の上部で中継搬送ユニット８またはプリンタ２から排出される画像の記録された用紙を搬入ローラ５０で導き入れて、用紙に対して後処理を施すものである。そのシート後処理装置５は、ステープル処理を行い、プリンタ２と並べて設置され、プリンタ２にて画像記録が完了した用紙をシート後処理装置５内に導入させるための搬入ローラ対５０を有する。
【００３６】
該搬入ローラ対５０の排紙方向下流側には、ユーザにて指定されたモードに応じて、用紙の搬送路を、ステープル処理を実施しない搬送路５３と、ステープル処理部５８に繋がる搬送路５５との間で、選択的に切り換える切換えゲート５２が配設されている。
【００３７】
この切換えゲート５２の案内によって、搬送路５３に搬入された用紙は、排紙ローラ対５５の作用で、そのまま何の処理も施されることなく、上段の排紙トレイ５６上に排出される。一方、切換えゲート５２の案内によって搬送路５５に搬入された用紙は、該搬送路５５上に配置された搬送ローラ対５７によって、ステープル処理部５８に導かれる。ステープル処理後のシートは、下段の排紙トレイ５９に排出される。
【００３８】
スキャナ３は、シート状の原稿を自動原稿搬送装置４により自動的に供給して１枚ずつ順次露光走査して原稿画像を読み取る自動読み取りモードと、ブック物の原稿、もしくは自動原稿搬送装置４により自動供給が不可能なシート物の原稿をマニュアル操作によりセットして原稿画像を読み取る手動読み取りモードとを備えている。
【００３９】
そして、透明な原稿裁置台３０上にセットされた原稿の画像を、相互に所定の速度関係で原稿裁置台３０に沿って移動する第１走査ユニット３１および第２走査ユニット３２で露光走査して、ミラーや結像レンズ３３等の光学部品で導いて光電変換素子３４上に結像させることで、原稿画像を電気的信号に変換した上で出力するものである。
【００４０】
自動原稿搬送装置４は、原稿セットトレイ４０上に載置された原稿を原稿載置台３０上に向かって搬送し、走査後の原稿を原稿排出トレイ４２上に排出する原稿搬送手段４１を備えている。また、自動供給が不可能なシート物の原稿を原稿裁置台３０上に載置して走査可能なように、装置奥側を支点にして上方に回動して、装置の手前側が開放するように構成されている。
【００４１】
中継搬送ユニット８は、プリンタ２頂部に設けられた排紙トレイ９の上部に装着され、プリンタ２から排出される画像が記録された用紙を、プリンタ２の下流側に位置するシート後処理装置５に向かって導入するための搬送ユニットである。
【００４２】
また、この中継搬送ユニット８の用紙搬送経路８４の途中で、用紙を該ユニットの上面８２とシート後処理装置５の上面５４とで形成された排出トレイ９に用紙を導く別の用紙搬送路８３が、分岐している。２つの排出先は、搬送路の分岐部に配置されたゲート８１の切換えによって変更可能になっている。
【００４３】
前記排出トレイ９は、用紙の反転搬送路として使用されるようにもなっており、外付けの（開閉自在な被移動体としての開放扉１５と一体の）両面搬送ユニット１０と合わせて、用紙の両面への画像形成を実現する。このため、前記排出ローラ２８は正逆両方向に回転可能となっている。用紙供給部２１，６１，６２，６３から電子写真プロセス部２０および定着装置２３への搬送路（用紙搬送路）６４には、定着装置２３の下流側にゲート２５１が設けられている。
【００４４】
定着の終了した用紙は、前記ゲート２５１が、図ｌの実線側に切換わっていると、前記シート後処理装置５または前記排出トレイ９へ排出される。そして、前記のように前記排出トレイ９が反転搬送路として使用される場合には、用紙が引き戻され、破線側に切換わっているゲート２５１を介して、前記搬送路２５０に反転搬送される。このようにして、用紙の両面への画像形成が可能となる。
【００４５】
次に、本発明の特徴である用紙供給部２１，６１，６２，６３から電子写真プロセス部２０および定着装置２３への搬送路６４（縦搬送系の搬送路）におけるジャム処理機構について説明する。
【００４６】
図２には、両面搬送ユニット１０が一体となった開放扉１５を開放した状態の断面図が、図３には、開放扉１５を閉じた状態の斜視図が、また、図４には、ロック解除レバー１４を解除して、開放扉１５を開放した状態の斜視図がそれぞれ示されている。尚、図２にはプリンタ２及び両面搬送ユニット１０のみが示されており、図３及び図４には、スキャナ３及び自動原稿搬送装置４を除く他の構成が示されている。
【００４７】
図２及び図４に示すように、開放扉１５と一体化された両面搬送ユニット１０が、３本のスライドガイド（支持部材）１３ａ〜１３ｃにより、プリンタ２本体、すなわち装置本体に対してスライド可能に装着され、縦搬送系である搬送路６４を開放可能に構成され、その開放状態にて、ジャム処理を容易かつ迅速におこなうことができるようになっている。
【００４８】
上述のスライドガイド１３ａ〜１３ｃ は、両面搬送ユニット１０に端部が固定されたガイドレール１１ａ〜１１ｃと、プリンタ２本体、すなわち装置本体に水平方向にスライド・伸縮自在に設けられて上記ガイドレール１１ａ〜１１ｃに嵌合する断面コの字形状のスライダ１２ａ〜１２ｃにより構成されている。
【００４９】
すなわち、ガイドレール１１ａおよびスライダ１２ａは、プリンタ２本体の背面側上端部に設けられ、ガイドレール１ｌｂおよびスライダ１２ｂは背面側下端部に設けられ、また、ガイドレールｌ１ｃおよびスライダ１２ｃは前面側下端部に設けられている。なお、上述の前面側がジャム処理側、背面側がジャム処理の反対側である。
【００５０】
上述の両面搬送ユニット１０（および開放扉１５）と一体のガイドレール１１ａ〜１１ｃが、スライダ１２ａ〜１２ｃに案内されて水平方向にスライドすることにより、両面搬送ユニット１０（および開放扉１５）がプリンタ２本体、すなわち、装置本体に対してスライド・移動し搬送路６４が開閉される。
【００５１】
以上のような構成により、縦搬送系である搬送路６４で発生したジャム紙を取り除く目的で搬送路６４を開放する場合、両面搬送ユニット１０と一体の開放扉１５を引き出して内部を開放する。その引き出された両面搬送ユニット１０は、前述したように、単に背面側と前面側との下端部２本のスライドガイド１３ｂ，１３ｃだけではなく、背面側上端部に設けられたスライドガイド１３ａ によっても支持されている。
【００５２】
従って、その支持強度が三次元方向に高く安定に向上しており、引き出された状態にある両面搬送ユニット１０の上部に不用意に外力が作用しても、両面搬送ユニット１０は安定な支持状態を維持することができ、トラブルの発生が防がれる。
【００５３】
また、このように両面搬送ユニット１０の上端部にもスライドガイドｌ３ａを設けていることにより、引き出される両面搬送ユニット１０と本体装置との整合性が著しく向上する。従って、両面搬送ユニット１０をスライドさせた時にもガタつきが生じにくく、開放扉１５を閉じた時に、両面搬送ユニット１０を、装置本体に対して正規の位置に正確に収納することができる。
【００５４】
さらに、ユーザがジャム処理を行う時のアクセス側の上端部、すなわち、装置前面側の上端部にはスライドガイドが設けられていないので、ユーザは手前上部から装置内に手を差し入れて、容易にジャム紙を取り除くことができ、ジャム処理の作業性が良好となる。つまり、ジャム処理アクセス側の上端部が開放されているため、ジャム処理をおこなう上で障害物がなく、ジャム処理作業が容易となる。
【００５５】
また、ロック解除レバー１４を、プリンタ２本体の前面側の下方に設けているので、ロック解除レバー１４の本体との係合部１４ｂがジャム処理時に、邪魔になることはなく、ジャム処理の良好な作業性が損なわれることがない。
【００５６】
以上のように、開放扉１５と嵩高い両面搬送ユニット１０とを一体化して移動させる構成において、その開放時の支持の安定性を効果的に向上させると共に、ジャム処理作業を容易にし、さらに、移動させる部分（開放扉１５と搬送ユニット１０）と本体側との間に良好な整合性を確保して、トラブルの発生を少なくすることができる。
【００５７】
また、本画像形成装置１には、図示は省略するが、インターロックスイッチが設けられており、両面搬送ユニット１０の開時には、まずインターロックスイッチがオフとなった後に、装置本体側と両面搬送ユニットの接続コネクタとの接続が切断される一方、閉時には、まず装置本体側と両面搬送ユニットの接続コネクタとの接続が行われてから、インターロックスイッチがオンされるようにしている。
【００５８】
このように、インターロックスイッチを設けることによって、開放扉１５と共に、電装部品も一体となってスライドさせる構成においても、ジャム処理時の安全性をさらに一層向上させることができる。
【００５９】
なお、機種によっては、開放扉１５に対する支持強度の向上を図るために、図示は省略するが、ジャム処理アクセス側の上端部が開放されていることを条件として、支持部材を３本以上設けてもよい。また、本発明は、被移動体の支持構造を実施形態（スライドガイド方式）に限定するものではなく、その支持部材は、例えば、リンク方式等であってもよく、少なくとも、ジャム処理アクセス側の上端部が開放されれば、適宜に採用されてよく、その構成の如何を問わない。
【００６０】
【発明の効果】
以上の説明で明らかなように、本発明は、以下のような効果を奏する。
【００６２】
請求項１によれば、開放状態の被移動体を支持する支持部材が、両下端部のみではなく上端部にも設けられているため、被移動体が開かれた状態にある時に、たとえ、その上部に、不用意に外力が加えられたとしても、安定な支持状態が維持され、トラブルの発生を回避することができる。また、ガタツキの発生を防ぐこともできる。
【００６３】
さらに、支持部材を上記のように上下両側に設けていることにより、被移動体と本体との整合性が良好になるので、被移動体に一体的に設けられた用紙ガイド部材等の機能部品が、被移動体閉止時に装置本体側の所定位置に正確に配置され安定した機能が維持される。
【００６４】
また、上記支持部材は、ジャム処理のアクセス側（装置前面側）上端部には設けられておらず、ユーザにとって装置の手前側上部に空間が形成されて装置内部が開放されるので、ジャム紙を取り出し易く、ジャム処理の作業性が向上する。
【００６５】
請求項２によれば、被移動体に設けた（装置本体との）係合部を、被移動体のジャム処理アクセス側の下端部に配設するので、ジャム処理際して、邪魔になることがなく、ジャム処理の良好な作業性が維持される。
【００６６】
請求項３によれば、開放状態にある開放扉等の被移動体を支持する支持部材が、被移動体におけるジャム処理アクセス側の略上端部を避けて設けられるので、被移動体の支持部材がジャム処理に際して邪魔にならず、ジャム処理が容易となる。
【００６７】
加えて、被移動体の支持部材が、被移動体におけるジャム処理アクセス側のほぼ下端部に必ず配置され、被移動体におけるジャム処理アクセス側のほぼ下端部と被移動体におけるジャム処理アクセス反対側とに、合計、３箇所以上設けられているので、安定な支持状態が維持されて、トラブルの発生やガタツキの発生を防止することができる。
【００６８】
また、被移動体と装置本体との整合性が良好になるので、被移動体に一体的に設けられたシートガイド部材や搬送路の分岐手段等の機能部品が、被移動体を閉じた際に、装置本体の所定の位置に正確に配置されるため、安定した機能が維持される。
【図面の簡単な説明】
【図１】本発明の一実施形態に係る画像形成装置の構成図である。
【図２】同被移動体を開いた状態の要部断面図である。
【図３】同被移動体を閉じた状態の画像形成装置の斜視図である。
【図４】同被移動体を開いた状態の画像形成装置の斜視図である。
【図５】従来の画像形成装置の被引出体を引き出した状態の一例を示す斜視図である。
【図６】同別の例を示す斜視図である。
【符号の説明】
１３ａ〜１３ｃ−支持部材
１４ｂ−係合部
１５ー被移動体
６４−用紙搬送路
【図１】
0003751835.tif 000002
【図２】
0003751835.tif 000003
【図３】
0003751835.tif 000004
【図４】
0003751835.tif 000005
【図５】
0003751835.tif 000006
【図６】
0003751835.tif 000007